【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
プリンタに対する複数種類の印刷設定項目を有する操作画面の表示と、前記印刷設定項目への設定を行う情報処理装置であって、
複数種類の印刷設定項目を有する第１表示領域と、前記第１表示領域上の印刷設定項目の設定操作の履歴を示す履歴データを表示する第２表示領域を含む操作画面を表示する操作画面表示手段と、
前記操作画面の操作を行うための指示手段と、
前記複数種類の印刷設定項目中の第１印刷設定項目に対する操作に基づいて、該第１印刷設定項目と競合する第２印刷設定項目を操作不可状態に設定する設定手段と、
前記第１印刷設定項目の変更前の印刷設定値、変更後の印刷設定値、及びその変更に伴って操作不可状態にした第２印刷設定項目を含む情報を前記履歴データとして記憶する記憶手段と、
前記第２印刷設定項目の表示領域上での前記指示手段による指示の有無を検知する検知手段と、
前記検知手段による指示が検知された場合、前記第２表示領域上で表示される前記記憶手段で記憶された履歴データの内、前記第２印刷設定項目を操作不可状態にした原因となる設定操作の履歴データを、他の履歴データと識別可能となるように表示制御する表示制御手段と
を備えることを特徴とする情報処理装置。
【請求項２】
前記指示手段によって、前記第２表示領域上の履歴データの一覧から履歴データが指示された場合、前記記憶手段を参照して、その履歴データに対応する印刷設定項目と競合する印刷設定項目に関する競合情報を表示する競合情報表示手段を更に備える
ことを特徴とする請求項１に記載の情報処理装置。
【請求項３】
前記第２表示領域上の履歴データの一覧から選択した履歴データを削除する削除手段と、
前記削除手段による削除操作がなされた場合、前記記憶手段を参照して、削除対象の履歴データ以降に生成された履歴データそれぞれに対応する前記変更後の印刷設定値を、対応する前記変更前の印刷設定値に戻す設定変更手段と
を更に備えることを特徴とする請求項１または２に記載の情報処理装置。
【請求項４】
第１印刷設定項目と競合する第２印刷設定項目の設定状態を変更するルールを示す競合ルールを記憶管理する競合ルール記憶手段を更に備え、
前記設定手段は、前記第１印刷設定項目に対する設定内容に基づいて、前記第２印刷設定項目の設定状態を前記競合ルールで示される設定状態に変更する
ことを特徴とする請求項１乃至３のいずれか１項に記載の情報処理装置。
【請求項５】
プリンタに対する複数種類の印刷設定項目を有する操作画面の表示と、前記印刷設定項目への設定を行う情報処理装置であって、
複数種類の印刷設定項目を有する第１表示領域を表示する第１表示手段と、
前記複数種類の印刷設定項目中の第１印刷設定項目に対する操作に基づいて、該第１印刷設定項目と競合する第２印刷設定項目を操作不可状態に設定する設定手段と、
前記第１表示領域に対する操作に関する操作履歴を第２表示領域に表示する第２表示手段と、
前記第２印刷設定項目が指示された場合、前記第２表示領域に表示される前記操作履歴の内、前記第２印刷設定項目を操作不可状態にした原因となる操作履歴を、他の操作履歴と識別可能となるように表示する表示制御手段と
を備えることを特徴とする情報処理装置。
【請求項６】
プリンタに対する複数種類の印刷設定項目を有する操作画面の表示と、前記印刷設定項目への設定を行う情報処理装置の制御方法であって、
複数種類の印刷設定項目を有する第１表示領域と、前記第１表示領域上の印刷設定項目の設定操作の履歴を示す履歴データを表示する第２表示領域を含む操作画面を表示する操作画面表示工程と、
前記複数種類の印刷設定項目中の第１印刷設定項目に対する操作に基づいて、該第１印刷設定項目と競合する第２印刷設定項目を操作不可状態に設定する設定工程と、
前記第１印刷設定項目の変更前の印刷設定値、変更後の印刷設定値、及びその変更に伴って操作不可状態にした第２印刷設定項目を含む情報を前記履歴データとして記憶媒体に記憶する記憶工程と、
前記第２印刷設定項目の表示領域上での指示手段による指示の有無を検知する検知工程と、
前記検知工程による指示が検知された場合、前記第２表示領域上で表示される前記記憶媒体に記憶された履歴データの内、前記第２印刷設定項目を操作不可状態にした原因となる設定操作の履歴データを、他の履歴データと識別可能となるように表示制御する表示制御工程と
を備えることを特徴とする情報処理装置の制御方法。
【請求項７】
前記指示手段によって、前記第２表示領域上の履歴データの一覧から履歴データが指示された場合、前記記憶媒体を参照して、その履歴データに対応する印刷設定項目と競合する印刷設定項目に関する競合情報を表示する競合情報表示工程を更に備える
ことを特徴とする請求項６に記載の情報処理装置の制御方法。
【請求項８】
前記第２表示領域上の履歴データの一覧から選択した履歴データを削除する削除工程と、
前記削除工程による削除操作がなされた場合、前記記憶媒体を参照して、削除対象の履歴データ以降に生成された履歴データそれぞれに対応する前記変更後の印刷設定値を、対応する前記変更前の印刷設定値に戻す設定変更工程と
を更に備えることを特徴とする請求項６または７に記載の情報処理装置の制御方法。
【請求項９】
第１印刷設定項目と競合する第２印刷設定項目の設定状態を変更するルールを示す競合ルールを記憶媒体に記憶管理する競合ルール記憶工程を更に備え、
前記設定工程は、前記第１印刷設定項目に対する設定内容に基づいて、前記第２印刷設定項目の設定状態を前記競合ルールで示される設定状態に変更する
ことを特徴とする請求項６乃至８のいずれか１項に記載の情報処理装置の制御方法。
【請求項１０】
プリンタに対する複数種類の印刷設定項目を有する操作画面の表示と、前記印刷設定項目への設定を行う情報処理装置の制御方法であって、
複数種類の印刷設定項目を有する第１表示領域を表示する第１表示工程と、
前記複数種類の印刷設定項目中の第１印刷設定項目に対する操作に基づいて、該第１印刷設定項目と競合する第２印刷設定項目を操作不可状態に設定する設定工程と、
前記第１表示領域に対する操作に関する操作履歴を第２表示領域に表示する第２表示工程と、
前記第２印刷設定項目が指示された場合、前記第２表示領域に表示される前記操作履歴の内、前記第２印刷設定項目を操作不可状態にした原因となる操作履歴を、他の操作履歴と識別可能となるように表示する表示制御工程と
を備えることを特徴とする情報処理装置の制御方法。
【請求項１１】
プリンタに対する複数種類の印刷設定項目を有する操作画面の表示と、前記印刷設定項目への設定を行う情報処理装置の制御をコンピュータに実行させるためのコンピュータプログラムであって、
複数種類の印刷設定項目を有する第１表示領域と、前記第１表示領域上の印刷設定項目の設定操作の履歴を示す履歴データを表示する第２表示領域を含む操作画面を表示する操作画面表示工程と、
前記複数種類の印刷設定項目中の第１印刷設定項目に対する操作に基づいて、該第１印刷設定項目と競合する第２印刷設定項目を操作不可状態に設定する設定工程と、
前記第１印刷設定項目の変更前の印刷設定値、変更後の印刷設定値、及びその変更に伴って操作不可状態にした第２印刷設定項目を含む情報を前記履歴データとして記憶媒体に記憶する記憶工程と、
前記第２印刷設定項目の表示領域上での指示手段による指示の有無を検知する検知工程と、
前記検知工程による指示が検知された場合、前記第２表示領域上で表示される前記記憶媒体に記憶された履歴データの内、前記第２印刷設定項目を操作不可状態にした原因となる設定操作の履歴データを、他の履歴データと識別可能となるように表示制御する表示制御工程と
をコンピュータに実行させることを特徴とするコンピュータプログラム。
【請求項１２】
プリンタに対する複数種類の印刷設定項目を有する操作画面の表示と、前記印刷設定項目への設定を行う情報処理装置の制御をコンピュータに実行させるためのコンピュータプログラムであって、
複数種類の印刷設定項目を有する第１表示領域を表示する第１表示工程と、
前記複数種類の印刷設定項目中の第１印刷設定項目に対する操作に基づいて、該第１印刷設定項目と競合する第２印刷設定項目を操作不可状態に設定する設定工程と、
前記第１表示領域に対する操作に関する操作履歴を第２表示領域に表示する第２表示工程と、
前記第２印刷設定項目が指示された場合、前記第２表示領域に表示される前記操作履歴の内、前記第２印刷設定項目を操作不可状態にした原因となる操作履歴を、他の操作履歴と識別可能となるように表示する表示制御工程と
をコンピュータに実行させることを特徴とするコンピュータプログラム。
【請求項１３】
前記コンピュータプログラムは、前記プリンタに対するプリンタドライバである
ことを特徴とする請求項１１または１２に記載のコンピュータプログラム。
【手続補正２】
【補正対象書類名】明細書
【補正対象項目名】００１４
【補正方法】変更
【補正の内容】
【００１４】
上記の目的を達成するための本発明による情報処理装置は以下の構成を備える。即ち、
プリンタに対する複数種類の印刷設定項目を有する操作画面の表示と、前記印刷設定項目への設定を行う情報処理装置であって、
複数種類の印刷設定項目を有する第１表示領域と、前記第１表示領域上の印刷設定項目の設定操作の履歴を示す履歴データを表示する第２表示領域を含む操作画面を表示する操作画面表示手段と、
前記操作画面の操作を行うための指示手段と、
前記複数種類の印刷設定項目中の第１印刷設定項目に対する操作に基づいて、該第１印刷設定項目と競合する第２印刷設定項目を操作不可状態に設定する設定手段と、
前記第１印刷設定項目の変更前の印刷設定値、変更後の印刷設定値、及びその変更に伴って操作不可状態にした第２印刷設定項目を含む情報を前記履歴データとして記憶する記憶手段と、
前記第２印刷設定項目の表示領域上での前記指示手段による指示の有無を検知する検知手段と、
前記検知手段による指示が検知された場合、前記第２表示領域上で表示される前記記憶手段で記憶された履歴データの内、前記第２印刷設定項目を操作不可状態にした原因となる設定操作の履歴データを、他の履歴データと識別可能となるように表示制御する表示制御手段と
を備える。
【手続補正３】
【補正対象書類名】明細書
【補正対象項目名】００１５
【補正方法】変更
【補正の内容】
【００１５】
また、好ましくは、前記指示手段によって、前記第２表示領域上の履歴データの一覧から履歴データが指示された場合、前記記憶手段を参照して、その履歴データに対応する印刷設定項目と競合する印刷設定項目に関する競合情報を表示する競合情報表示手段を更に備える。
【手続補正４】
【補正対象書類名】明細書
【補正対象項目名】００１６
【補正方法】変更
【補正の内容】
【００１６】
また、好ましくは、前記第２表示領域上の履歴データの一覧から選択した履歴データを削除する削除手段と、
前記削除手段による削除操作がなされた場合、前記記憶手段を参照して、削除対象の履歴データ以降に生成された履歴データそれぞれに対応する前記変更後の印刷設定値を、対応する前記変更前の印刷設定値に戻す設定変更手段と
を更に備える。
【手続補正５】
【補正対象書類名】明細書
【補正対象項目名】００１７
【補正方法】変更
【補正の内容】
【００１７】
また、好ましくは、第１印刷設定項目と競合する第２印刷設定項目の設定状態を変更するルールを示す競合ルールを記憶管理する競合ルール記憶手段を更に備え、
前記設定手段は、前記第１印刷設定項目に対する設定内容に基づいて、前記第２印刷設定項目の設定状態を前記競合ルールで示される設定状態に変更する。
【手続補正６】
【補正対象書類名】明細書
【補正対象項目名】００１８
【補正方法】変更
【補正の内容】
【００１８】
上記の目的を達成するための本発明による情報処理装置の制御方法は以下の構成を備える。即ち、
プリンタに対する複数種類の印刷設定項目を有する操作画面の表示と、前記印刷設定項目への設定を行う情報処理装置の制御方法であって、
複数種類の印刷設定項目を有する第１表示領域と、前記第１表示領域上の印刷設定項目の設定操作の履歴を示す履歴データを表示する第２表示領域を含む操作画面を表示する操作画面表示工程と、
前記複数種類の印刷設定項目中の第１印刷設定項目に対する操作に基づいて、該第１印刷設定項目と競合する第２印刷設定項目を操作不可状態に設定する設定工程と、
前記第１印刷設定項目の変更前の印刷設定値、変更後の印刷設定値、及びその変更に伴って操作不可状態にした第２印刷設定項目を含む情報を前記履歴データとして記憶媒体に記憶する記憶工程と、
前記第２印刷設定項目の表示領域上での指示手段による指示の有無を検知する検知工程と、
前記検知工程による指示が検知された場合、前記第２表示領域上で表示される前記記憶媒体に記憶された履歴データの内、前記第２印刷設定項目を操作不可状態にした原因となる設定操作の履歴データを、他の履歴データと識別可能となるように表示制御する表示制御工程と
を備える。
【手続補正７】
【補正対象書類名】明細書
【補正対象項目名】００１９
【補正方法】変更
【補正の内容】
【００１９】
上記の目的を達成するための本発明によるコンピュータプログラムは以下の構成を備える。即ち、
プリンタに対する複数種類の印刷設定項目を有する操作画面の表示と、前記印刷設定項目への設定を行う情報処理装置の制御をコンピュータに実行させるためのコンピュータプログラムであって、
複数種類の印刷設定項目を有する第１表示領域と、前記第１表示領域上の印刷設定項目の設定操作の履歴を示す履歴データを表示する第２表示領域を含む操作画面を表示する操作画面表示工程と、
前記複数種類の印刷設定項目中の第１印刷設定項目に対する操作に基づいて、該第１印刷設定項目と競合する第２印刷設定項目を操作不可状態に設定する設定工程と、
前記第１印刷設定項目の変更前の印刷設定値、変更後の印刷設定値、及びその変更に伴って操作不可状態にした第２印刷設定項目を含む情報を前記履歴データとして記憶媒体に記憶する記憶工程と、
前記第２印刷設定項目の表示領域上での指示手段による指示の有無を検知する検知工程と、
前記検知工程による指示が検知された場合、前記第２表示領域上で表示される前記記憶媒体に記憶された履歴データの内、前記第２印刷設定項目を操作不可状態にした原因となる設定操作の履歴データを、他の履歴データと識別可能となるように表示制御する表示制御工程と
をコンピュータに実行させる。